【手続補正書】
【提出日】平成29年11月22日(2017.11.22)
【手続補正１】
【補正対象書類名】特許請求の範囲
【補正対象項目名】全文
【補正方法】変更
【補正の内容】
【特許請求の範囲】
【請求項１】
ビデオ情報を復号するように構成された装置であって、
現在のピクチャを有する第１のビデオレイヤに関連付けられたビデオ情報を記憶するように構成されたメモリユニットと、
前記メモリユニットと通信しているプロセッサと、
を備え、前記プロセッサは、
ビットストリーム内の、前記現在のピクチャに関連付けられたピクチャ順序カウント（ＰＯＣ）の最上位ビット（ＭＳＢ）サイクル値を受信することと、前記ＰＯＣ  ＭＳＢサイクル値は、前記現在のピクチャに関連付けられ、（ａ）前記現在のピクチャに復号順序において先行する前記第１のビデオレイヤの中の前のピクチャのＰＯＣのＭＳＢと、（ｂ）前記現在のピクチャのＰＯＣのＭＳＢとの間の差分を示し、
前記現在のピクチャがＰＯＣリセットに関連するかどうかを決定することと、
前記現在のピクチャがＰＯＣリセットに関連しないという決定に基づいて、前記現在のピクチャの前記ＰＯＣの前記ＭＳＢを、前記現在のピクチャに関連付けられた前記ＰＯＣ  ＭＳＢサイクル値に基づいて決定すること、または
前記現在のピクチャがＰＯＣリセットに関連するという決定に基づいて、前記第１のビデオレイヤの中にある復号されたピクチャバッファ（ＤＰＢ）の中のすべてのピクチャのＰＯＣ値を、前記現在のピクチャに関連付けられた前記ＰＯＣ  ＭＳＢサイクル値に基づいて更新することと、
前記ビットストリームの中の前記ビデオ情報を復号することと、
を行うように構成される、装置。
【請求項２】
ビデオ情報を符号化するように構成された装置であって、
現在のピクチャを有する第１のビデオレイヤに関連付けられたビデオ情報を記憶するように構成されたメモリユニットと、
前記メモリユニットと通信しているプロセッサと、
を備え、前記プロセッサは、
ピクチャ順序カウント（ＰＯＣ）の最上位ビット（ＭＳＢ）サイクル値を決定することと、前記ＰＯＣ  ＭＳＢサイクル値は、前記現在のピクチャに関連付けられ、（ａ）前記現在のピクチャに復号順序において先行する前記第１のビデオレイヤの中の前のピクチャのＰＯＣのＭＳＢと、（ｂ）前記現在のピクチャのＰＯＣのＭＳＢとの間の差分を示し、
ビットストリームの中で前記現在のピクチャに関連する前記ＰＯＣ  ＭＳＢサイクル値をシグナリングすることと、
前記現在のピクチャがＰＯＣリセットに関連するかどうかを決定することと、
前記現在のピクチャがＰＯＣリセットに関連しないという決定に基づいて、前記現在のピクチャの前記ＰＯＣの前記ＭＳＢを、前記現在のピクチャに関連付けられた前記ＰＯＣ  ＭＳＢサイクル値に基づいて決定すること、または
前記現在のピクチャがＰＯＣリセットに関連するという決定に基づいて、前記第１のビデオレイヤの中にある復号されたピクチャバッファ（ＤＰＢ）の中のすべてのピクチャのＰＯＣ値を、前記現在のピクチャに関連付けられた前記ＰＯＣ  ＭＳＢサイクル値に基づいて更新することと、
前記ビットストリームの中の前記ビデオ情報を符号化することと、
を行うように構成される、装置。
【請求項３】
前記現在のピクチャは、クリーンランダムアクセス（ＣＲＡ）ピクチャまたはブロークンリンクアクセス（ＢＬＡ）ピクチャのうちの１つである、請求項１または２に記載の装置。
【請求項４】
前記前のピクチャは、前記現在のピクチャに復号順序において近い方である、ＰＯＣリセットを示す前記第１のビデオレイヤの中の前のＰＯＣリセッティングピクチャ、または前記第１のビデオレイヤの中の前の瞬時デコーダリフレッシュ（ＩＤＲ）ピクチャのうちの１つである、請求項１または２に記載の装置。
【請求項５】
前記第１のビデオレイヤに関連付けられたビデオパラメータセットが、前記現在のピクチャに関連する前記ビットストリームの中で前記ＰＯＣ  ＭＳＢサイクル値がシグナリングされるかどうかを示す、フラグまたはシンタックス要素を含む、請求項１または２に記載の装置。
【請求項６】
前記現在のピクチャは、瞬時デコーダリフレッシュ（ＩＤＲ）ピクチャである、請求項１または２に記載の装置。
【請求項７】
前記装置は、コンピュータ、ノートブック、ラップトップコンピュータ、タブレットコンピュータ、セットトップボックス、電話ハンドセット、スマートフォン、スマートパッド、テレビジョン、カメラ、ディスプレイデバイス、デジタルメディアプレーヤ、ビデオゲームコンソール、および車載コンピュータのうちの１つまたは複数からなるグループの中から選択されたデバイスを備える、請求項１または２に記載の装置。
【請求項８】
ビデオ情報を復号する方法であって、
ビットストリーム内の、前記現在のピクチャに関連付けられたピクチャ順序カウント（ＰＯＣ）の最上位ビット（ＭＳＢ）サイクル値を受信することと、前記ＰＯＣ  ＭＳＢサイクル値は、前記現在のピクチャに関連付けられ、（ａ）前記現在のピクチャに復号順序において先行する第１のビデオレイヤの中の前のピクチャのＰＯＣのＭＳＢと、（ｂ）前記現在のピクチャのＰＯＣのＭＳＢとの間の差分を示し、
前記現在のピクチャがＰＯＣリセットに関連するかどうかを決定することと、
前記現在のピクチャがＰＯＣリセットに関連しないという決定に基づいて、前記現在のピクチャの前記ＰＯＣの前記ＭＳＢを、前記現在のピクチャに関連付けられた前記ＰＯＣ  ＭＳＢサイクル値に基づいて決定すること、または
前記現在のピクチャがＰＯＣリセットに関連するという決定に基づいて、前記第１のビデオレイヤの中にある復号されたピクチャバッファ（ＤＰＢ）の中のすべてのピクチャのＰＯＣ値を、前記現在のピクチャに関連付けられた前記ＰＯＣ  ＭＳＢサイクル値に基づいて更新することと、
前記ビットストリームの中の前記ビデオ情報を復号することと、
を備える、方法。
【請求項９】
ビデオ情報を符号化する方法であって、
ピクチャ順序カウント（ＰＯＣ）の最上位ビット（ＭＳＢ）サイクル値を決定することと、前記ＰＯＣ  ＭＳＢサイクル値は、前記現在のピクチャに関連付けられ、（ａ）前記現在のピクチャに復号順序において先行する第１のビデオレイヤの中の前のピクチャのＰＯＣのＭＳＢと、（ｂ）前記現在のピクチャのＰＯＣのＭＳＢとの間の差分を示し、
ビットストリームの中で前記現在のピクチャに関連する前記ＰＯＣ  ＭＳＢサイクル値をシグナリングすることと、
前記現在のピクチャがＰＯＣリセットに関連するかどうかを決定することと、
前記現在のピクチャがＰＯＣリセットに関連しないという決定に基づいて、前記現在のピクチャの前記ＰＯＣの前記ＭＳＢを、前記現在のピクチャに関連付けられた前記ＰＯＣ  ＭＳＢサイクル値に基づいて決定すること、または
前記現在のピクチャがＰＯＣリセットに関連するという決定に基づいて、前記第１のビデオレイヤの中にある復号されたピクチャバッファ（ＤＰＢ）の中のすべてのピクチャのＰＯＣ値を、前記現在のピクチャに関連付けられた前記ＰＯＣ  ＭＳＢサイクル値に基づいて更新することと、
前記ビットストリームの中の前記ビデオ情報を符号化することと、
を備える、方法。
【請求項１０】
前記現在のピクチャは、クリーンランダムアクセス（ＣＲＡ）ピクチャまたはブロークンリンクアクセス（ＢＬＡ）ピクチャのうちの１つである、請求項８または９に記載の方法。
【請求項１１】
前記前のピクチャは、前記現在のピクチャに復号順序において近い方である、ＰＯＣリセットを示す前記第１のビデオレイヤの中の前のＰＯＣリセッティングピクチャ、または前記第１のビデオレイヤの中の前の瞬時デコーダリフレッシュ（ＩＤＲ）ピクチャのうちの１つである、請求項８または９に記載の方法。
【請求項１２】
前記第１のビデオレイヤに関連付けられたビデオパラメータセットが、前記現在のピクチャに関連する前記ビットストリームの中で前記ＰＯＣ  ＭＳＢサイクル値がシグナリングされるかどうかを示す、フラグまたはシンタックス要素を含む、請求項８または９に記載の方法。
【請求項１３】
前記現在のピクチャは、瞬時デコーダリフレッシュ（ＩＤＲ）ピクチャである、請求項８または９に記載の方法。
【請求項１４】
実行されたとき、装置に、請求項８または１０〜１３のいずれか一項の前記復号方法を実行させるコードを備える、非一時的コンピュータ可読媒体。
【請求項１５】
実行されたとき、装置に、請求項９〜１３のいずれか一項の前記符号化方法を実行させるコードを備える、非一時的コンピュータ可読媒体。